(57)【要約】【課題】  照明効果が良い光源の配設位置を得て、最適照明が得られた表示装置を得る。【解決手段】  対向する上電極を有する上基板と下電極を有する下基板とこの上下基板間に挟持される液晶と導光部と光源を有する照明部とを有し前記下基板が前記上基板の端部より延出する延出部を備えこの延出部に前記電気光学変換部材を駆動をするための端子を配設した表示装置において、前記下基板は、さらに前記下基板の前記端子が配設される基板辺と対向する前記下基板辺が前記上基板の端部より延出する延出部を備えこの延出部に前記光源を配設し、且つ光源用配線が前記上電極と前記下電極が対向してなる画素を有する画素部の外郭と前記下基板における辺との間に配設されることを特徴とする表示装置である。【選択図】        図１
2006276600.tif 000002
【特許請求の範囲】
【請求項１】
少なくとも対向する第１の電極を有する第１の基板と第２の電極を有する第２の基板とこの第１，第２の基板の間に挟持される電気光学変換部材と導光部と光源を有する照明部とを有し前記第２の基板が前記第１の基板の端部より延出する延出部を備えこの延出部に前記電気光学変換部材を駆動をするための端子を配設した表示装置において、
前記第２の基板は、さらに前記第２の基板の前記端子が配設される基板辺とは異なる基板辺で前記第１の基板の端部より延出する延出部を備えこの延出部に前記光源を配設し、且つ前記導光部が少なくとも他方の前記基板を用いた光り導光部としたことを特徴とする表示装置。
【請求項２】
前記第２の基板の前記端子が配設される基板辺とは異なる基板辺が、前記第２の基板の前記端子が配設される基板辺と対向する前記第２の基板の基板辺であることを特徴とする請求項１に記載の表示装置。
【請求項３】
前記端子と前記光源とを電気的接続するための光源用配線が前記第２の基板に配設されることを特徴とする請求項１または２に記載の表示装置。
【請求項４】
前記光源用配線が、少なくとも前記電気光学変換部材を封止する枠形状をなす封止部材と前記前記第２の基板との間に配設されることを特徴とする請求項３に記載の表示装置。
【請求項５】
前記光源用配線が、前記封止部材とこの封止部材に隣り合うところの前記第２の基板の辺との間に配設されることを特徴とする請求項３に記載の表示装置。
【請求項６】
前記光源用配線が、前記封止部材の内側の領域を表示部とするとこの表示部の外郭周辺近傍に配設されることを特徴とする請求項３に記載の表示装置。
【請求項７】
前記光源用配線が、前記第１の電極と前記第２の電極が対向してなる画素を有する画素部の外郭と前記第２の基板における辺との間に配設されることを特徴とする請求項３に記載の表示装置。
【請求項８】
前記光源用配線が配設された前記第２の基板に対向する前記第１の基板には、前記光源用配線と対向して画素電極に信号を送るための画素用配線が配設されることを特徴とする請求項３乃至７のいずれか一に記載の表示装置。
【請求項９】
前記第２の基板の上方に反射層が配設されたことを特徴とする請求項１乃至８のいずれか一に記載の表示装置。
【請求項１０】
前記第２の基板の下方に反射層が配設されたことを特徴とする請求項１乃至８のいずれか一に記載の表示装置。
【請求項１１】
少なくとも対向する上電極を有する上基板と下電極を有する下基板とこの上下基板間に挟持される液晶と導光部と光源を有する照明部とを有し前記下基板が前記上基板の端部より延出する延出部を備えこの延出部に前記電気光学変換部材を駆動をするための端子を配設した表示装置において、
前記下基板は、さらに前記下基板の前記端子が配設される基板辺と対向する前記下基板辺が前記上基板の端部より延出する延出部を備えこの延出部に前記光源を配設し、且つ前記導光部が少なくとも他方の前記基板を用いた光り導光部とし、前記端子と前記光源とを電気的接続するための光源用配線が前記上電極と前記下電極が対向してなる画素を有する画素部の外郭と前記下基板における辺との間に配設されることを特徴とする表示装置。
【請求項１２】
少なくとも対向する上電極を有する上基板と下電極を有する下基板とこの上下基板間に配設される枠状の封止部材で液晶を封止して形成される表示部有し少なくとも前記表示部を照明する照明部を有し一方の前記基板が他方の前記基板端部より延出する延出部有しこの延出部に照明駆動用端子を配設した表示装置において、
前記照明部が少なくとも前記上基板を用いた光り導光部と前記下基板の前記照明駆動用端子が配設される基板辺と対向した基板辺に配設した前記導光部を照明する光源を有し、この光源が前記下基板の前記表示部の外郭周辺近傍に配設される光源用配線で前記照明駆動用端子と接続されたことを特徴とする液晶表示装置。
【請求項１３】
電極を有する基板を間隙を設けて対向させこの間隙に電気光学変換部材を挟持してなり一方の前記基板が他方の前記基板端部より延出する延出部有しこの延出部に照明駆動端子を配設した表示装置において、
前記照明部が少なくとも一方の前記基板を用いた光導光部と一方の前記基板の端部から延出した他方の前記基板の延出部に前記光導光部を照明する光源を配設したことを特徴とする表示装置。
【請求項１４】
前記照明駆動端子と前記光源とを電気的接続するための光源用配線が、一方の前記基板に配設されることを特徴とする請求項１３に記載の表示装置。
【請求項１５】
前記光源用配線が、前記電気光学部材をの周囲に配設された封止部材の内側の領域である表示部の外郭周辺近傍に配設されることを特徴とする請求項１４に記載の表示装置。
【請求項１６】
前記光源用配線が、前記電気光学部材をの周囲に配設された封止部材と一方の前記基板との間に配設されることを特徴とする請求項１４に記載の表示装置。
【請求項１７】
前記光源用配線が、前記電気光学部材をの周囲に配設された封止部材と前記封止部材に隣り合う基板辺との間に配設されることを特徴とする請求項１４に記載の表示装置。
【請求項１８】
前記光源用配線が、一方の前記基板のに配設された画素電極と他方の前記基板のに配設された画素電極とが対向してなる画素を有する画素部の外郭といずれかの前記基板の辺との間に配設されることを特徴とする請求項１４に記載の表示装置。
【請求項１９】
前記光源用配線が配設された一方の前記基板に対向する他方の前記基板には、前記光源用配線と対向して他方の前記基板上の画素電極に信号を送るための画素用配線が配設されることを特徴とする請求項１４に記載の表示装置。
【請求項２０】
一方の前記基板の基板の下方に反射層が配設されたことを特徴とする請求項１３乃至１９のいずれか一に記載の表示装置。
【発明の詳細な説明】
【技術分野】
【０００１】
近年、携帯電話機やデジタルスチルカメラやビデオカメラや携帯情報機器やパソコン等の電子機器のための可視情報表示部として電気光学変換部材を用いた表示装置、例えば液晶表示装置、が薄型であり携帯性がよく液晶表示装置にいたっては低消費電力とのことで広く用いられるようになって来ている。この表示装置を携帯電話機に使用するときには、電話番号、動画、静止画、写真、メール表示などの情報を表示するために用いられる。さらに液晶装置をデジタルスチルカメラやビデオカメラ等に使用するときには、被写体を確認するためのモニターとして薄型の表示装置が使用される。
【０００２】
特に本発明にかかわる表示装置は、少なくとも対向する上電極を有する上基板と下電極を有する下基板とこの上下基板間に配設される枠状の封止部材とで電気光学変換部材を封止し、少なくとも前記上電極と前記下電極とその間に配設された前記電気光学変換部材とで画素を形成しこれら画素を複数有する画素部と少なくともこの画素部を照明する照明部とを有し、少なくとも一方の前記基板には他方の前記基板端部より延出する延出部を設けこの延出部に外部回路接続端子を配設した表示装置についての発明であり、一言でいうと表示機能を有する表示部とこの表示部を照明する照明部あるいは照明装置を備えた表示装置に関するものである。
そこで本発明の以下の説明では、カラー表示装置に関し、発明の実施形態としては小型、薄型、軽量、低消費電力の特徴を有する液晶を用いた液晶表示装置を用いて説明を行う。
【背景技術】
【０００３】
液晶表示装置としては、特許文献１に示されているように、対向する上電極を有する上基板と下電極を有する下基板とこの上下基板間に配設される枠状の封止部材とで液晶を封止し、前記上電極と前記下電極とその間に配設された前記液晶とで画素を形成し画素部とし、一方の前記基板には他方の前記基板端部より延出する延出部を設けこの延出部に１つの駆動用集積回路（ＩＣ）を配設している。このＩＣに入力される入力信号は、前記延出部に設けられた外部回路接続端子に接続されるフレキシブル回路基板（以下、ＦＰＣ）を用い供給される。
この技術を図１４，１５を用いて説明を行う。
図１４は、液晶表示装置の平面図を透視してみた状態における基板上の電極の配線図、あるいは配線パターンを主に示した透視図であるている。
図１５は、図１４の液晶表示装置の断面の一部を示した断面図である。
液晶表示装置１０１は、液晶表示パネル１０５にＩＣ１１１を搭載されている。液晶パネル１０５は、互いに対向する上基板１０２ｂと下基板１０２ａを有し、これらの下基板１０２ａと上基板１０２ｂは、図１５に示すようにスペーサ１０７によってセルギャップと称される約１０μｍから２μｍの間隙Ｇを保持した状態で封止材１０３によって互いに接着される。この間隙Ｇには電気光学変換部材である液晶１０４が封入される。下基板１０２ａ及び上基板１０２ｂの外側表面には、必要に応じて偏光板１０６が貼着される。さらに下基板１０２ａの外側に下偏光板（図示せず）が配設され、下偏光板の外側（図１５においては，下側）にはバックライトと称する照明装置が配設される。このような液晶表示装置は、透過型表示装置と称して下方の照明装置であるバックライトからの光を上基板１０２ｂの外側、すなわち上基板１０２の上方で観察者が見るとういものである。
【０００４】
他の表示装置として反射型表示装置がある。これは、上基板０２ｂの外側表面に偏光板１０６あるいは位相差板と偏光板を貼り合わせた部材が貼り付けられる。
下基板１０２ａの外側反射部材を貼りつける場合と、下基板１０２ａと液晶の間に反射
電極または反射層を設ける場合がある。これらは反射型表示装置と称する。
このような反射型液晶表示装置は、上基板１０２ｂの上方に設けられたフロントライトと称する照明装置からの光を反射層で反射し戻ってきた光を上基板１０２ｂの外側、すなわち上基板１０２ｂの上方で観察者が見るとういものである。
さらに図１４に示すごとく液晶表示パネルの下基板１０２ａの内側（図１５では上側）の面には複数の信号電極１３０が形成され、上基板１０２ｂの内側（図１５では下側）の面には複数の走査電極１２０が形成される。これらの電極は、例えば、ＩＴＯ（Ｉｎｄｉｕｍ  Ｔｉｎ  Ｏｘｉｄｅ：インジウムスズ酸化物）なる材料によってストライプ形状に形成され、これらの下基板１０２ａ及び上基板１０２ｂが接着された状態で信号電極と走査電極は互いに直交するように構成されている。これら走査電極１２０と信号電極１３０との交差点が液晶表示の画素となる。
【０００５】
図１４では、下基板１０２ａは、上基板１０２ｂの端である端部から外側に延出しており、その延出部に長方形状のＩＣ実装領域Ｂが設定される。このＩＣ実装領域Ｂに前記液晶を駆動制御するためのＩＣ１１１が異方性導電接着材で接着されるとともにい異方性導電接着材内の導電粒子で下基板１０２ａ上のＩＣ接続電極とＩＣの電極端子が電気的に接続される。
信号電極１３０は液晶内のシール近傍までストライプ状に延長され画素用電極をなしており、さらにそのまま延長してＩＣ実装領域Ｂまで延びる配線がなされて配線電極を形成する。
他方、上基板１０２ｂの上に形成された走査電極１２０は、下基板１０２ａ及び上基板１０２ｂの間に配設された導電粒子よりなる導通材１０８を経由して下基板１０２ａ上の走査電極用の配線電極に接続された後に、この配線電極によりＩＣ実装領域Ｂにまで延びてＩＣ１１１の電極端子と接続される。
ＩＣ１１１は、図１５に示すように、絶縁性接着材の中に少なくとも導電粒子を混在させた異方性導電接着材であるＡＣＦ（  Ａｎｉｓｏｔｒｏｐｉｃ  Ｃｏｎｄｕｃｔｉｖｅ
Ｆｉｌｍ）１０９を用いて下基板１０２ａに接着し下基板１０２ａ上の配線電極に設けられた接続端子と電気的接続をなす。
なお、異方性導電接着材というのは、絶縁性の樹脂材料の中にガラスビーズやプラスチックビーズの表面に金やニッケルなどの導電膜を形成したところの導電性の粒子を混在させて形成した部材であり、導電性粒子が介在する電極端子同士は導通させ、導電性粒子が介在しない端子同士は非導通状態に維持する部材である。
【０００６】
このような液晶表示装置は、携帯電話の縦長の枠形状あるいは外形形状に合わせて、液晶表示パネルの一方の基板を他方の基板より一方向のみに基板を延出し延出部とし、信号電極と走査電極を駆動する回路を１つの集積回路であるＩＣに実装したＩＣを１つ前記延出部に実装する構成をなしている。
このような構成をなす図１４、図１５の下基板オ下方には、バックライトである照明装置が配設される。このバックライトの基本構成を説明すると。
【０００７】
照明装置にはバックライト方式とフロントライト方式があり、さらにバックライト方式には直下型バックライトとサイドライトに分かれる。
観察者を表示パネルの上方向とすると、直下型バックライトは、表示パネルの直下に蛍光管やエレクトロルミネッセンスなど発光源である光源を配設する。一方，サイドライトは表示パネルの直下に、光源からの光を導光するとともに導光部材の上に配設された表示パネルに向けて光を出射する機能を有する導光部材とこの導光部材の側方（横：導光部材と液晶表示パネルの重なり方向を上下方向としたときに対する側（横）方向）に配設する光源よりなる。
このようなバックライト方式に対してフロントライト方式は、液晶表示パネルの上方であるところの観察者側に照明装置を配設した構成をなす。このフロントライトは表示パネ
ルの直上に光源からの光を導光するとともに、導光部材の下に配設された表示パネルに向けて光を出射する機能を有する導光部材とこの導光部材の側方（横：導光部材と液晶表示パネルの重なり方向を上下方向としたときに対する側（横）方向）に配設する光源よりなる。
液晶表示パネルの後ろ側にバックライトなる照明装置を配設するると、照明装置を有する液晶表示装置を組み込んだ電子機器の厚さが厚くなるとの問題が生じる。この問題を有するバックライトは携帯情報端末機や携帯電話などのより小型化を求める装置には好ましくない。
【０００８】
特許文献２は、上記特許文献１の問題である、液晶表示パネルの後ろ側にバックライトなる照明装置を配設することによるに、液晶表示装置を組み込んだ装置が厚くなるとの問題を改善し、より薄型の液晶表示装置を得ようとする技術が示されている。
特許文献２には、前記図１４，図１５で説明した、前記サイドライトあるいはフロントライトの照明装置で用いた導光部材を液晶表示パネルのシー材（封止部材）あるいは液晶で機能を持たせたようとした技術が開示されている。
光源としては、前記した一方の基板の他方の基板の端から延出した延出部を有する他方の基板上に実装された発光ダイオード（以下、ＬＥＤと称する）を用いたものである。
この技術を図１６と図１７に基づいて説明する。
【０００９】
図１６は、表示パネルの上にＬＥＤを配設した、図１４とは異なる構成をなす他の表示パネルの断面図である。図１７は図１６の表示パネルの外観平面図であり内部構造の一部を透視している平面図である。
以下図１６，１７を用いて表示パネルの説明をする。
図１６、１７に示す２０１は表示パネルで、この表示パネル２０１はガラス等の透明な材料からなる一方の透明基板２０３と他方の基板２０２とを枠状の封止部材２０４により間隙を設けて接着している。封止部材２０４の枠の内側の両基板２０１，２０２間の隙間内に、電界により光学特性が変化する電気光学変換物質としての散乱型液晶２０５が封止されている。
前記基板２０２の外側には、その基板２０２と対向して反射部材として反射板２０６が設けられている。
このような構成とすることで、前記透明基板２０３の外側から表示パネル２０１内に入射した外部光が、液晶２０５を通り前記反射板２０６で反射して再び液晶５を通り前記透明基板２０３の外側に出射する。この出射光は、電気光学変換部材により制御されるので、この光により画像あるいは文字あるいは記号等の表示を観察者が視認できるようになる。
前記基板２０２の内側の表面には多数の画素電極およびこれら画素電極にそれぞれ対応する薄膜トランジスタがマトリクス状に配置され形成される。また透明基板２０３の内側の表面には前記画素電極のすべてに対向する一枚膜状の対向電極が形成されている。この電極は、一枚の膜異でなくとも良い。
【００１０】
前記封止部材２０４は例えば光硬化型の透明な樹脂からなり、この封止部材２０４には光を散乱させるガラス粒子やガラスファイバー等からなる光散乱微粒子２０７が内部に混入されている。透明基板２０３の外面には前記封止部材２０４に対向する部分に遮光部材として遮光テープ２０８が貼り付けられている。
基板２０２の一側部あるいは一側端部は、封止部材２０４の外側に突出し、この突出部で外部接続回路基板、例えばＦＰＣと接続するの端子部２０２ａが配設される。
さらに図１７に示すごとく、この端子部２０２ａの右方向に液晶表示パネル２０１を駆動するためのＩＣ２０９が実装されている。
この端子部２０２ａの基板上には、透明基板２０３と他方の基板２０２との間に介在した封止部材２０４の側面に対向して光源としてのＬＥＤ２１０が複数個（例えば、図１７
の如くＩＣ２０９の左右に振り分けて２個）配設される。この配設位置は、さらにＩＣ２０９と透明基板２０３の基板端部との間に配設されているものでもある。
そしてこれらＬＥＤ２１０と対向しない封止部材２０４の外側の側面には遮光部材として遮光テープ２１１が貼り付けられている。
このような構成の液晶表示装置においては、駆動回路チップであるＩＣ２０９を介して表示パネル２０１が駆動され、液晶２０５を介して光の透過が制御され、この制御で所望の文字や図形等の画像が基板２０３の外側の表面の表示部２０３ａに表示される。
このような構成により基板２０２の外側にバックライト用の光源が設けられていなくても表示部２０３ａにコントラストのある明るい画像が表示される。
【００１１】
このような図１６，１７の構成を採ると，図１４，１５で説明した構成に比べ小型な液晶表示装置が得られる。
この図１６，１７では、封止部材内を散乱し透過する光を用いているが、シール部材は数μｍの厚みあり、封止部材を透過光する光はきわめて少なく、実際はシール内を透過してくる光は少なく、表示は暗い。
この問題に対応するために、光を導光する部材として液晶表示パネルを構成する透明基板を用いた出願が本出願人よりなされている。（特許文献３参照）。この特許文献３ので技術を図１６，１７の構成に採用すると、１ｍｍから０．３ｍｍｍｍ基板を導光部材とするために、基板側面から入射される光の量が図１６の封止部材からの光入射に比べ多くなる。
このような構成をなす他の特許文献であっても、各部材の配置構成は図１６、１７と略同じなので、ここでの説明を省略する。
【００１２】
【特許文献１】特開２００４−４５８７
【特許文献２】特開平１１−１８３８８８
【特許文献３】特開２００１−７５０８７
【発明の開示】
【発明が解決しようとする課題】
【００１３】
このような図１６，１７の技術を図１４，１５の表示パネルに用いようとすると次のような問題が生じて、図１６，１７の技術を図１４，１５の技術を表示パネルに採用することは、困難なことである。
問題１．ＩＣが実装された表示パネルを構成する基板の延出部には、ＩＣへの入力配線と液晶を駆動するためのＩＣの出力配線が、図１４に示す如く極めて密集して配設されるので光源であるＬＥＤを図１６の如く実装する空間あるいは実装領域が存在しない問題を有する。
問題２．前記延出部を大きくし、ＬＥＤの実装領域を確保すると、表示パネルの外形が大きくなり、表示装置の枠が大きくなり表示装置の外形寸法が大きくなり、結果小型化が十分に得られることができないために、携帯に適さなくなり、また他社製品に対して競争力を失うこととなる問題を有する。
問題３．特にこれまでの照明装置を用いた表示装置では、照明装置を構成が部材が多く、部品費用が高額になり、さらにこの多くの構成部材を用いて表示装置を得るとなると組立費、部品管理費等の製造費用が高額になる問題を生じている。
【００１４】
本発明が解決しようとする課題は、上記の少なくとも問題点を解決し、表示装置を構成する部材数を削減し，製造コストを削減し、小型で軽量であり、且つ表示品質の良い表示
装置を得ることにある。
【課題を解決するための手段】
【００１５】
上記課題を解決するために本発明の第１の手段は、少なくとも対向する第１の電極を有する第１の基板と第２の電極を有する第２の基板とこの第１，第２の基板の間に挟持される電気光学変換部材と導光部と光源を有する照明部とを有し前記第２の基板が前記第１の基板の端部より延出する延出部を備えこの延出部に前記電気光学変換部材を駆動をするための端子を配設した表示装置において、前記第２の基板は、さらに前記第２の基板の前記端子が配設される基板辺とは異なる基板辺で前記第１の基板の端部より延出する延出部を備えこの延出部に前記光源を配設し、且つ前記導光部が少なくとも他方の前記基板を用いた光り導光部としたことを特徴とする。
【００１６】
上記課題を解決するために本発明の第２の手段は、本発明の第１の手段において、前記第２の基板の前記端子が配設される基板辺とは異なる基板辺が、前記第２の基板の前記端子が配設される基板辺と対向する前記第２の基板の基板辺であることを特徴とする。
【００１７】
上記課題を解決するために本発明の第３の手段は、本発明の第１または第２の手段において、前記端子と前記光源とを電気的接続するための光源用配線が前記第２の基板に配設されることを特徴とする。
【００１８】
上記課題を解決するために本発明の第４の手段は、本発明の第３の手段において、前記光源用配線が、少なくとも前記電気光学変換部材を封止する枠形状をなす封止部材と前記前記第２の基板との間に配設されることを特徴とする。
【００１９】
上記課題を解決するために本発明の第５の手段は、本発明の第３の手段において、前記光源用配線が、前記封止部材とこの封止部材に隣り合うところの前記第２の基板の辺との間に配設されることを特徴とする。
【００２０】
上記課題を解決するために本発明の第６の手段は、本発明の第３の手段において、前記光源用配線が、前記封止部材の内側の領域を表示部とするとこの表示部の外郭周辺近傍に配設されることを特徴とする。
【００２１】
上記課題を解決するために本発明の第７の手段は、本発明の第３の手段において前記光源用配線が、前記第１の電極と前記第２の電極が対向してなる画素を有する画素部の外郭と前記第２の基板における辺との間に配設されることを特徴とする。
【００２２】
上記課題を解決するために本発明の第８の手段は、本発明の第３乃至第７のいずれかの一の手段において、前記光源用配線が配設された前記第２の基板に対向する前記第１の基板には、前記光源用配線と対向して画素電極に信号を送るための画素用配線が配設されることを特徴とする。
【００２３】
上記課題を解決するために本発明の第９の手段は、本発明の第１乃至第８のいずれかの一の手段において、前記第２の基板の上方に反射層が配設されたことを特徴とする。
【００２４】
上記課題を解決するために本発明の第１０の手段は、本発明の第１乃至第８のいずれかの一の手段において前記第２の基板の下方に反射層が配設されたことを特徴とする。
【００２５】
上記課題を解決するために本発明の第１１の手段は、少なくとも対向する上電極を有する上基板と下電極を有する下基板とこの上下基板間に挟持される液晶と導光部と光源を有
する照明部とを有し前記下基板が前記上基板の端部より延出する延出部を備えこの延出部に前記電気光学変換部材を駆動をするための端子を配設した表示装置において、前記下基板は、さらに前記下基板の前記端子が配設される基板辺と対向する前記下基板辺が前記上基板の端部より延出する延出部を備えこの延出部に前記光源を配設し、且つ前記導光部が少なくとも他方の前記基板を用いた光り導光部とし、前記端子と前記光源とを電気的接続するための光源用配線が前記上電極と前記下電極が対向してなる画素を有する画素部の外郭と前記下基板における辺との間に配設されることを特徴とする。
【００２６】
上記課題を解決するために本発明の第１２の手段は、少なくとも対向する上電極を有する上基板と下電極を有する下基板とこの上下基板間に配設される枠状の封止部材で液晶を封止して形成される表示部有し少なくとも前記表示部を照明する照明部を有し一方の前記基板が他方の前記基板端部より延出する延出部有しこの延出部に照明駆動用端子を配設した表示装置において、前記照明部が少なくとも前記上基板を用いた光り導光部と前記下基板の前記照明駆動用端子が配設される基板辺と対向した基板辺に配設した前記導光部を照明する光源を有し、この光源が前記下基板の前記表示部の外郭周辺近傍に配設される光源用配線で前記照明駆動用端子と接続されたことを特徴とする。
【００２７】
上記課題を解決するために本発明の第１３の手段は、電極を有する基板を間隙を設けて対向させこの間隙に電気光学変換部材を挟持してなり一方の前記基板が他方の前記基板端部より延出する延出部有しこの延出部に照明駆動端子を配設した表示装置において、
前記照明部が少なくとも一方の前記基板を用いた光導光部と一方の前記基板の端部から延出した他方の前記基板の延出部に前記光導光部を照明する光源を配設したことを特徴とする。
【００２８】
上記課題を解決するために本発明の第１４の手段は、本発明の第１３の手段において前記照明駆動端子と前記光源とを電気的接続するための光源用配線が、一方の前記基板に配設されることを特徴とする。
【００２９】
上記課題を解決するために本発明の第１５の手段は、本発明の第１４の手段において前記光源用配線が、前記電気光学部材をの周囲に配設された封止部材の内側の領域である表示部の外郭周辺近傍に配設されることを特徴とする。
【００３０】
上記課題を解決するために本発明の第１６の手段は、本発明の第１４の手段において前記光源用配線が、前記電気光学部材をの周囲に配設された封止部材と一方の前記基板との間に配設されることを特徴とする。
【００３１】
上記課題を解決するために本発明の第１７の手段は、本発明の第１４の手段において前記光源用配線が、前記電気光学部材をの周囲に配設された封止部材と前記封止部材に隣り合う基板辺との間に配設されることを特徴とする。
【００３２】
上記課題を解決するために本発明の第１８の手段は、本発明の第１４の手段において前記光源用配線が、一方の前記基板のに配設された画素電極と他方の前記基板のに配設された画素電極とが対向してなる画素を有する画素部の外郭といずれかの前記基板の辺との間に配設されることを特徴とする。
【００３３】
上記課題を解決するために本発明の第１９の手段は、本発明の第１４の手段において前記光源用配線が配設された一方の前記基板に対向する他方の前記基板には、前記光源用配線と対向して他方の前記基板上の画素電極に信号を送るための画素用配線が配設されることを特徴とする。
【００３４】
上記課題を解決するために本発明の第２０の手段は、本発明の第１３乃至１９のいずれか一の手段において一方の前記基板の基板の下方に反射層が配設されたことを特徴とする。
【発明の効果】
【００３５】
本発明は上記解決しようとする課題を解決することで、表示装置を構成する部材数を削減し，製造コストを削減し、小型で軽量の表示装置を得たものである。
さらに、液晶層の厚み（基板上の各種配設部材があるものの、当業者が基板間隙あるいはギャップと称している内容である）を少なくとも液晶封止領域内あるいは表示領域内あるいは画素領域内で一定とすることができ液晶層厚みムラによる輝度ムラ、色むらを防ぎ表示品質の良い表示装置を得ている。これは、当業者がセル（パネル）ギャプムラと称している問題を解決したものである。
本発明は、光源へ電流を流す基板上の光源用配線をこの基板に対向する基板上に配設された画素用配線と対向するようにしたので、液晶層厚みムラを防ぎ表示品質の良い表示装置を得ることができる。
本発明は、光源へ電流を流す基板上の光源用配線を封止部材あるいは該封止部材より外側の基板端部の間または封止部材の周辺であり少なくとも複数の画素よりなる画素部の外側を光源用配線電極とするので、光源用配線の面積を画素用配線に比べて広くでき、光源用配線の配線抵抗を削減でき、光源に電流を十分供給でき、光源の輝度を上げることができ、所定の輝度を得ることができる効果を有する。
一方本発明は、看視側に対して反対側の面に配設されるところの基板、すなわち下基板を導光部材としての機能をも持たせることで、この基板とこの基板の側方に配設される光源を有する照明部を形成し、表示パネル（光源やＦＰＣを除いた構成）あるいは表示セル（光源やＦＰＣを除いた構成）に対して看視側と反対側に前記照明部を配設する表示装置を得たので、従来のバックライト（後面配置照明装置）の有する表示装置が厚く、大きいとの問題を解決し、バックライトでありながら小型，薄型の効果を得ることができ、さらにバックライトのためフロントライトより高い輝度を得ることができるとの効果をも有する。
また、現在多用されている携帯電話用の縦長表示装置の下基板が上基板の端部より延出する延出部に前記電気光学変換部材を駆動をするための端子あるいは光源駆動端子を配設し、下基板の前記端子が配設される基板辺と対向する前記下基板辺が前記上基板の端部より延出する延出部を備えこの延出部に前記光源を配設したので、現在多用されている携帯電話用の縦長表示装置に最適な構成になるので、この表示装置を用いた電子機器は、持ち運び、操作性がよい製品が得られる効果を有する。
【発明を実施するための最良の形態】
【００３６】
本発明の最良の形態は、少なくとも対向する上電極を有する上基板と下電極を有する下基板とこの上下基板間に挟持される液晶と導光部と光源を有する照明部とを有し前記下基板が前記上基板の端部より延出する延出部を備えこの延出部に前記電気光学変換部材を駆動をするための端子を配設した表示装置において、前記下基板は、さらに前記下基板の前記端子が配設される基板辺と対向する前記下基板辺が前記上基板の端部より延出する延出部を備えこの延出部に前記光源を配設し、且つ前記導光部が少なくとも他方の前記基板を用いた光り導光部とし、前記端子と前記光源とを電気的接続するための光源用配線が前記上電極と前記下電極が対向してなる画素を有する画素部の外郭と前記下基板における辺との間に配設されることを特徴とする表示装置である。
【００３７】
本発明の実施例を以下説明する。
（実施例１）
図１から図５は実施例１の表示装置を示した図である。
図１は本発明の実施例１の表示装置の外観の斜視図であり、図２は図１の表示装置の外観の正面図であり、図３は図１のＡ−Ａ断面方向に於けるＢ部の部分断面図である。図４は図１のＡ−Ａ断面に於ける部分断面図である。図５は図１を分解し上下の位置の関係を変えずに上下基板を取りだした図である。図５ｂは上基板を上方から透視した図であり、図５ａは下基板を上方から見た図である。
図１，２で示される如く、表示装置１０は上基板２０と上基板２０より大きい下基板４０が封止部材６０で接着されており、下基板４０の左右方向には、上基板２０の端辺より突出した延出部４０ａ，ｂが設けられており、この延出部４０ａには図３と図４に示すように外部からの信号あるいは駆動信号を入力するための画素用端子５０と照明駆動用端子５４が設けられている。
一方、延出部ｂには図１，２，５ａに示す如く光源である発光ダイオード（以下、ＬＥＤ）が、導電接着材あるいは異方性導電接着材あるいは半田により下基板４０上の配線電極に電気的接続され、接着あるいは支持固定されているている。
本実施例では、ＬＥＤ８０を２個使用した場合を示しているが、１個でも良くさらに３個以上でも良く、ＬＥＤの個数を多くすれば、輝度は高くなり、輝度ムラも少なくなる方向だが、光源の消費電力が増加しさらに光源と接続する配線電極の本数が増え下基板４０を大きくしなければならず、これらを考慮して最適なＬＥＤの使用個数を決めるのがよい。
図１，２の上基板２０の上には、図３に示すように断面三角形状のプリズム３６とプリズム３６の上に位相差板（図示せず）、この位相差板の上に偏光板７０が配設される。位相差板は、配設しないことがある。
同様に図１，２の下基板４０の下には反射部材が設けられる（外材反射層と称される）ことがあるが、本実施例では図３に示す如く下基板４０と液晶６５の間に反射層を設けた。この反射層は、内在型反射層と称し、外材反射層の視差の問題を解決する構成を成している。
【００３８】
図３，４の断面図を用いて実施例１のさらなる説明を行う。
図３は、照明駆動用端子５４が封止部材６０内に配線される様子を説明するものである。封止部材は電気光学変換部材の例である液晶６５を封止するために枠状を為しており、液晶６５を注入するための注入口を有している。
下基板４０にはその延出部４０ａに照明駆動用端子５４なる電極端子が配設されており、この照明駆動用端子５４に接続された光源用配線５１なる配線電極は、封止部材６０と下基板４０の間を通り封止部材６０内に配線される。
一方、封止部材６０の枠の内側に少なくとも以下の部材が設けられている。
下基板４０の上に反射層４２が設けられ、反射層４２の上に赤色カラーフィルタ層４２Ｒ、青色カラーフィルタ層４２Ｂ、緑色カラーフィルタ層４２Ｇのカラーフィルタ層４４が設けられ、カラーフィルタ層の４４上にはカラーフィルタ層４４の表面の凸凹を平坦にする平坦化層４６を配設する。この平坦化層４６は、カラーフィルタ層４４の面を保護する役目と、反射層４２と光源用配線５１あるいは画素電極４８とのショートを防ぐ絶縁膜の機能をも有している。このショートは主に、表示パネル製造工程で液晶層６５内に入った塵が原因で生じるものである。
この平坦化層４６の上に光源用配線５１が設けられ、光源用配線５１の上に下配向膜５９が設けられる。
一方、上基板２０の封止部材６０の枠の内側には、上基板２０の下面である下基板４０側の面に画素電極２２と画素用配線２４とが配設され、少なくとも画素電極２２の上に上配向層２８が配設される。
このように構成された基板の上下配向膜２８，５９の間には電気光学変換部材の例である液晶が挟持される。
図３では、上基板２０の上にプリズム３６が配設され、さらにその上に偏光部材７０が
配設されている。
【００３９】
図４は、上基板２０上の下面に配設された画素電極２２に駆動信号を供給するための画素用配線２４（図５ｂ参照）が下基板と上基板に跨り配設されて且つ電気的接続がなされるトランスファー接続あるいはトランスファー配線が示されている。この場合、封止部材を利用して上基板２０の対向配線接続部３０と下基板４０の対向配線接続部３０とでそれぞれの基板上の配線を互いに接続するので封止部材６０には絶縁性接着材６２の中に導電性粒子６１が混入されている。
図４において、図３と同様に封止部材は電気光学変換部材の例である液晶６５を封止するために枠状を為しており、さらに液晶６５を注入するための注入口を有している。
下基板４０にはその延出部４０ａに画素用端子５０なる電極が配設されており、この画素用端子５０に接続された画素用配線２６が、封止部材６０と下基板４０の間に配線される。ここで、封止部材６０内の導電粒子６１と画素用配線２６が接続される。さらにこの導電粒子６１は、上基板２０上の画素用配線２４と接続される。この画素用配線２４は画素用電極２２と接続されている。このようにして、上基板２０上の走査電極あるいはコモン電極に相当する画素電極は、下基板４０上に入力された信号が供給される。
一方、封止部材６０の枠の内側に少なくとも以下の部材が設けられている。
下基板４０の上に反射層４２が設けられ、反射層４２の上に赤色カラーフィルタ層４２Ｒ、青色カラーフィルタ層４２Ｂ、緑色カラーフィルタ層４２Ｇのカラーフィルタ層４４が設けられ、カラーフィルタ層の４４上にはカラーフィルタ層４４の表面の凸凹を平坦にする平坦化層４６を配設する。この平坦化層４６は、カラーフィルタ層４４の面を保護する役目と、反射層４２と光源用配線５１及び画素用電極（信号画素電極）４８とのショートを防ぐ絶縁膜の機能をも有している。このショートは主に、表示パネル製造工程で液晶層６５内に入った塵が原因で生じるものである。
この平坦化層４６の上に画素用電極４８が設けられ、画素用電極４８の上に下配向膜５９が設けられる。
図５ａに示すように、この画素用電極４８は、画素用端子５０に入力された信号が画素用配線４９を通り画素用電極４８に伝わる。
一方上基板において、上基板２０の封止部材６０の枠の内側には、上基板２０の下面である下基板４０側の面に画素電極２２及び画素用配線２４とが配設され、画素電極２２の上に上配向層２８が配設される。
このように構成された基板の上下配向膜２８，５９の間には電気光学変換部材の例である液晶が挟持される。
図４では、上基板２０の上にプリズム３６が配設され、さらにその上に偏光部材７０が配設されている。
【００４０】
さらに実施例１の表示装置の上下基板２０，４０の配線状態を、図５ａ，ｂを用いて説明を行う。
図５ａは、下基板４０上に配設される電極と光源であるＬＥＤ８０と封止部材６０の配設状態を示している。
図５ａにおいて、下基板４０は左右の延出部４０ａ、ｂの間に配設された枠状の封止部材６０内に液晶６５が封止されている。延出部４０ａ上は、多数の配線の入力端子と入力端子と画素電極を接続する画素用配線とが密集している。
例えば、下基板に配設される画素電極４８が信号電極であり、上基板２０に配設される画素電極２２がコモン電極とすると、現在の電話用液晶表示パネルにおいては、信号電極×コモン電極＝（１２８本×３色）×（１６０本）あるいは（１７４本×３色）×（２２０本）あるいは（２４０本×３色）×（３２０本）なる本数の電極が配設されている。
さらに、本発明では、ＬＥＤを２個使用した実施例なので照明駆動用配線が少なくとも３本下基板上に配設される。
【００４１】
このような配線において、まず図５ａで上側に配設されたＬＥＤ８０への配線を見ると、照明用駆動端子５４が光源用配線５１と電気的導通をなし、さらにＬＥＤ８０に接続されるのであるが、光源用配線５１は２本配設され、図５ａで下基板４０の上方の封止部材６０の下を引き回されて配線されるＬＥＤ８０に接続される第１の配線が設けられる。
また図５ａで前記第１の配線と並行して図５ａを見て第１の配線の下側に配設される第２の光源用配線５１は、図５ａで下基板４０の上方の画素部６７と封止部材６０とで挟まれた領域及び封止部材６０と基板の間を引き回されて配線されてＬＥＤ８０に接続する。この第２の光源用配線５１は、図５ａを見て上側に配設されたＬＥＤ８０に接続されとともに、図５ａを見て下側に配設されたＬＥＤ８０にも接続される。このようにすると前記下側に配設されたＬＥＤ８０の配線が液晶領域あるいは封止部材と基板の間を配設せずにすむため、表示部あるいは画素部の配線密度の緩和することになり、配線密度が高いことによる隣り合う配線同士のショートを防ぐ効果を有する。
【００４２】
同様に、図５ａで下側に配設されたＬＥＤ８０への配線を見ると、照明用駆動端子５４が光源用配線５１と電気的導通をなし、さらにＬＥＤ８０に接続されるのであるが、光源用配線５１は図５ａで下基板４０の上方の封止部材６０の下を引き回されて配線される。この光源用配線５１は図５ａで下基板４０の上方の画素部６７と封止部材６０とで挟まれた領域を引き回されても良い。
これらの光源用配線５１は、配線抵抗を下げるために、画素用配線２６，４９あるいは画素電極４８が配設されていない下基板４０の上のスペースあるいは領域に、Ｃ部、Ｄ部の如く幅広の電極としている。このことにより液晶に比べ消費電力が大きいＬＥＤの配線抵抗を下げることができるので、光源用配線での電力損失を少なくしＬＥＤの駆動効率が良くなる効果を有する。
さらに、本発明では、画素用端子５０、照明駆動用端子５４、画素用配線４９、光源用配線等が配設されて、配線が密集している延出４０ａには光源例えばＬＥＤを配設すことなく照明を得ているため、配線が密集して隣り合う配線のショートや電飾が防げる効果が得られる。
【００４３】
図５ｂは、上基板２０上に配設される電極とその電極上の下基板４０上の電極と電気的接続なす対向配線接続部と封止部材６０の関係を示している。
図５ｂにおいて、上基板２０の基板左端であり封止部材６０が配設された位置の画素用配線２４には、下基板４０上に設けられた端子画素配線２６の対向配線接続部３０と対向して対向配線接続部３０が設けられている。この両対向配線接続部の間に図４で示した導電粒子６１が挟まれ対向配線接続部接続され、下基板４０の画素用配線２６と上基板２０の画素用配線２４が導通する。
このように構成された上基板２０と下基板４０が封止部材を合わせて重ね合わせ接着すると、画素電極４８と画素電極２２が交差して、交差し重なった部位で表示の画素が形成される。
上記説明では、ストライプ電極が交差し、交差点に電気光学変換部材が存在することで画素を形成し表示をする実施例を説明したが、本発明は、個々に独立した画素電極を有しその個々の画素電極にＴＦＴやＭＩＭや非線形素子を配設したところの基板を用いた表示パネルにも用いることができ、本発明の効果を得ることができる。このとき、反射機能を画素電極に持たせても良い。
【００４４】
このような実施例１では、少なくとも対向する上電極２２を有する上基板２０と下電極４８を有する下基板４０とこの上下基板間に配設される枠状の封止部材６０とで電気光学変換部材６５を封止し、少なくとも前記上電極２２と前記下電極４８とその間に配設された前記電気光学変換部材６５とで画素を形成しこれら画素を複数有する画素部６７と少なくともこの画素部を照明する照明部とを有し、少なくとも一方の前記基板４０には他方の前記基板端部より延出する延出部を設けこの延出部に照明駆動用端子５４を配設した表示
装置において、前記照明部が少なくとも他方の前記基板２０を用いた光り導光部と一方の前記基板４０の前記照明駆動用端子５４が配設された基板辺とは異なる基板辺に配設された光源８０とを有する表示装置。
【００４５】
次ぎに、本発明の他の実施例である実施例２の表示装置を説明する。
（実施例２）
図６から図８は、本発明の実施例２の表示装置を示す図である。
図６は、本発明の他の実施例の外観の正面図であり、図７、図８は、図６を分解し上下基板を上下の位置関係を変えずに取りだした図であり、図８は上基板を上方から透視した図であり、図７は下基板を上方から見た図である。
図６は実施例１の図２に対して延出部４０ａに画素制御駆動回路と照明駆動回路を有す集積回路であるＩＣ９０が搭載されている点が主に異なる。
図６で示される如く、表示装置１０は上基板２０と上基板２０より大きい下基板４０が封止部材６０で接着されており、図を見て下基板４０の左右方向には、上基板２０の端辺より突出した延出部４０ａ，ｂが設けられている。この延出部４０ａには図６と図７に示すように外部からの液晶を制御する信号あるいは光源を制御する信号を入力し、ＩＣ９０に入力するためのＩＣ用入力端子５７が設けられている。
一方、延出部ｂには図６，７に示す如く光源の例であるＬＥＤが、導電接着材材あるいは異方性導電接着材あるいは半田により下基板４０上の光源用配線電極５１の端子に電気的接続され、且つ下基板４０に接着あるいは前期に示したような導通部材単独で支持固定されている。
図６で、上基板２０の上には、図示を省略しているが図３に示すように断面三角形状のプリズム３６とプリズム３６の上に配設される位相差板、この位相差板の上に偏光板７０が配設される。位相差板は、配設しないことがある。
同様に図６の下基板４０の電気光学変換部材側の面である内側あるいは下基板４０の外側である下基板４０の下方には反射部材が少なくとも表示領域６８に設けられる。
封止部材の枠内の部材構成及びその配置関係は、実施例１と実質同じなので、図３，４を参照願い、本実施例２での説明を省略する。
【００４６】
さらに、実施例２の表示装置１０の上基板２０，下基板４０の配線状態を図７，８を用いて説明する。
図６は、下基板４０上に配設される集積回路であるＩＣ９０が接続される端子と配線電極と光源であるＬＥＤ８０と封止部材６０の配設状態を示している。
図７において、下基板４０は左右の延出部４０ａ、ｂの間に配設された枠状の封止部材６０の枠内に液晶６５が封止される。延出部４０ａの上には、多数の配線の入力端子と、入力端子と画素電極を接続する画素用配線と、が密集している。特にＩＣ９０とＩＣ９０に隣り合うシール部材の間の領域は実施例１より配線密度が高い。
この領域にはＩＣ９０の出力配線である画素用配線２６と光源用配線５１が配設され、その配線本数は実施例１と同じである。
【００４７】
このように配設される配線において、延出部４０ａ上において、封止部材６０と反対側の下基板４０の端部周辺にはＩＣ用入力端子５７が配設される。この入力端子には、フレキシブル基板や接続クリップ・ピンが半田や導電接着材や異方性導電接着材で接続される。
このＩＣ用入力端子５７の他方の端子は、ＩＣ９０と接続される。
ＩＣ９０は、画素用端子５０から画素を駆動する信号を出力し、光源用端子５４からＬＥＤ８０を駆動する信号を出力する。
光源用端子５４のうち上側の光源用端子５４は下基板４０の上部周辺に配設される光源用配線５１を介して延出部４０ｂ上に配設されたＬＥＤ８０と接続される。このとき光源用配線５１は封止部材６０と下基板４０の間を配線され場合と、表示部６８と画素部６７
の間の領域を配線することができる。封止部材６０の幅は約１ｍｍあるので、幅広い電極を配線することができる。
これらの光源用配線５１は、配線抵抗を下げるために、画素用配線２６，４９あるいは画素電極４８が配設されていない下基板４０の上のスペースあるいは領域に、Ｃ部、Ｄ部の如く幅広の電極としている（図５ａ参照）。このことにより液晶に比べ消費電力大きいＬＥＤの配線抵抗を下げることができるので、光源用配線での電力損失や駆動電圧電圧降下量を少なくでき、ＬＥＤ８０の駆動効率が良くなる効果を有する。
さらに、本発明では、画素用端子５０、照明駆動用端子５４、画素用配線４９、光源用配線等が配設されて、配線が密集している延出４０ａには光源例えばＬＥＤ８０を配設すことなく照明を得ているため、配線が密集して隣り合う配線のショートや電飾の削減に効果が得られる。
【００４８】
一方、ＩＣ９０の出力端子と接続される画素用端子５０は、一部が画素用配線２６と接続され封止部材６０に配線され、封止部材６０の部位で上基板２０上に設けられた画素用配線２６と接続される。この接続構成は、下基板４０上の画素用配線２６の対向配線部３０と上基板２０上の画素用配線２６の対向配線部３０とが封止部材６０内の導電粒子６１により上下対向する電極のみが電気的に導通する。
上基板２０上の画素用配線２６は画素電極２２と接続されている。この画素用電極６８は図８を見て上下方向に配線されている。
図８の画素用電極２２に対向する図７に示す下基板４０上の画素用電極４８は、前記画素用電極２２と直交する方向の左右方向に配線されている。この画素用電極４８は、画素用電極２２との交差する部位と液晶とで画素を形成する。この画素の集合の端から端が画素部６７であり、この画素部を囲む封止部材６０までの領域が表示部６８であり、表示部までは液晶が存在する。表示部６８と画素部６７の間は、この液晶を電気信号で制御する機能が設けられていない。即ち、画素電極が存在しない。
このためこの間の液晶層の厚みは、画素部６７の液晶層の厚みと異なる。この異なりにより液晶透過光が異なり額縁のような輝度ムラが生じる。この問題は反射光でも同じことが言える。この問題を防ぐために電極がない部位にダミー電極と称する島状の間隙調整用電極を設けている。しかし、本発明は、光源用配線が配設するために前記ダミー電極を設けなくても前記輝度ムラを防げ、ダミー電極を形成する設計上、製造上の費用の削減が得られる。
図７で示す下基板４０上の画素用電極４８のＩＣ９０側の配線について示すと、画素用電極４８は画素用配線４９と接続し、画素用配線４９は画素用端子５０に接続される。この画素用端子５０はＩＣ９０上の出力用端子電極に接続される。
以上の説明では、図７の下基板４０の上半分に関して説明したが、図７の下基板４０の下半分に関しても、前記下基板４０の上半分に関して説明した内容と同じなので説明を省略する。
【００４９】
図８は、上基板２０上に配設される電極とその電極上の下基板４０上の電極と電気的接続なす対向配線接続部と封止部材６０の関係を示している。
図８において、上基板２０の基板左端であり封止部材６０が配設された位置の画素用配線２４には、下基板４０上に設けられた端子画素配線２６の対向配線接続部３０と対向して対向配線接続部３０が設けられている。この両対向配線接続部の間に図４で示した導電粒子６１が挟まれ接続され、下基板４０の画素用配線２６と上基板２０の画素用配線２４が導通する。
このように構成された上基板２０と下基板４０を封止部材を介して重ね合わせ接着すると、画素電極４８と画素電極２２が交差して、交差し画素電極２２と画素電極４８が重なった部位で表示の画素が形成される。
上記説明では、ストライプ電極が交差し、交差点に電気光学変換部材が存在することで画素を形成し表示をする実施例を説明したが、本発明は、個々に独立した画素電極を有し
その個々の画素電極にＴＦＴやＭＩＭや非線形素子を配設した基板を用いた表示パネルに用いることができ、本発明の効果を得ることができる。このとき、画素電極に反射機能を持たせても良い。
本実施例では、ＬＥＤ８０を２個使用した場合を示しているが、１個でも良くさらに３個以上でも良く、ＬＥＤの個数をおくすれば、輝度は高くなり、輝度ムラも少なくなるが、光源の消費電力が増加しさらに光源と接続する配線電極の本数が増え下基板４０を大きくしなければならず、これらを考慮して最適なＬＥＤの使用個数を決めるのがよい。
【００５０】
次ぎに、本発明の他の実施例である実施例３の表示装置を説明する。
（実施例３）
図９は、本発明の実施例３の表示装置を示す図である。
図９は、本発明の実施例３の表示装置の外観の正面図である。
図９は実施例１の図２に対して、延出部４０ａ上の入力端子に中継用のＦＰＣ９２を介して回路基板９３に配設された画素制御駆動回路と照明駆動回路からの信号を表示装置１０に送る接続構成が追加されている。
図９で示される如く、表示装置１０は上基板２０と上基板２０より大きい下基板４０が枠状の封止部材６０で接着されており、図を見て下基板４０の左右方向には、上基板２０の端辺より突出した延出部４０ａ，ｂが設けられている。この下基板４０の延出部４０ａには外部からの液晶を制御する信号あるいは光源を制御する信号を入力するための入力端子が設けられている。
一方、延出部４０ｂには図９に示す如く光源の例であるＬＥＤ８０が、導電接着材材あるいは異方性導電接着材あるいは半田により下基板４０上の光源用配線電極の端子に電気的接続され、且つ下基板４０に接着あるいは支持固定されているている。ＬＥＤの端子を半田付けするだけでもＬＥＤ８０を基板に固定する固定力は得られる。
図９で、上基板２０の上には、図示を省略しているが図３に示すような断面三角形状のプリズム３６とプリズム３６の上に配設される位相差板、この位相差板の上に偏光板７０が配設される。位相差板は、配設しないことがある。
同様に図９の下基板４０の電気光学変換部材側の面である内側または下基板４０の外側である下基板４０の下方には反射部材が少なくとも表示領域６８の領域に設けられる。
封止部材の枠の内側の部材構成及びその配置関係は、実施例１と実質に同じなので、図３，４を参照願い、本実施例３での説明を省略する。
このような構成を有する実施例３には、さらに下基板４０の延出部４０ａの封止部材６０側と反対側の端部にはＦＰＣ９２が接続され、ＦＰＣ９２の下基板４０と反対側の端部の端子は回路基板９３が接続される。この回路基板９３接続基板には集積回路であるＩＣ９０等が実装されることで、前記の如く制御回路や駆動回路を有する回路基板９３をなしている。が配設されている。
このような構成を採る第３の実施例は、延出部４０ａにＬＥＤ８０が実装されていないので、延出部４０ａのスペースを極めて小さくでき、より小型の表示装置を得ることができる効果を有する。
当然、前記実施例１，２の効果も得ることができる。
回路基板９３はＦＰＣを曲げて、下基板４０の下方に畳み込むことができるので、回路基板９３を用いても小型を損なうことはほとんど無い。
この回路基板９３は、一層、あるいは二層あるいは三層以上の多層よりなるＦＰＣを用いるのが小型のためにより良いが、ガスエポキシ、紙フェノールなどの基板でも良い。
【００５１】
次ぎに、本発明の他の実施例である実施例４の表示装置を説明する。
（実施例４）
図１０は、本発明の実施例４の表示装置を示す図である。
図１０は、本発明の実施例４の表示装置の外観の正面図である。
図１０は実施例１の図２に対して、延出部４０ａに画素制御駆動回路と照明駆動回路を
実装したＦＰＣ９２が追加された構成を成す。このＦＰＣ９２としては、ＩＣ実装部品であるＴＡＢやＴＣＰも利用できる。
図１０で示される如く、表示装置１０は、上基板２０と上基板２０より大きい下基板４０が枠形状の封止部材６０で接着されており、図を見て下基板４０の左右方向には、上基板２０の端辺より突出した延出部４０ａ，ｂが設けられている。この延出部４０ａには外部からの液晶を制御する信号あるいは光源を制御する信号を入力するための入力端子が下基板４０の延出部４０ａに設けられている。
一方、延出部４０ｂには図１０に示す如く光源の例であるＬＥＤ８０が、導電接着材材あるいは異方性導電接着材あるいは半田により下基板４０上の光源用配線電極の端子に電気的接続され、且つ下基板４０に接着あるいは支持固定されているている。ＬＥＤの端子を半田付けするだけでもＬＥＤ８０を基板に固定する固定力は得られる。
図１０で、上基板２０の上には、図示を省略しているが図３に示すように断面三角形状のプリズム３６とプリズム３６の上に配設される位相差板、この位相差板の上に偏光板７０が配設される。位相差板は、配設しないことがある。
同様に図１０の下基板４０の電気光学変換部材側の面である内側または下基板４０の外側である下基板４０の下方には反射部材が少なくとも表示領域６８の領域に設けられる。
封止部材内の部材構成及びその配置関係は、実施例１と実質的に同じなので、図３，４を参照願い、本実施例４での説明を省略する。
このような構成を有する実施例４には、さらに下基板４０の延出部４０ａの封止部材６０側と反対側の端部にはＦＰＣ９２が接続され、このＦＰＣ９２に駆動回路であるＩＣ９０が配設されているが、制御回路を実装しても良い。
このような構成を採る第４の実施例は、延出部４０ａにＬＥＤ８０が実装されていないので、延出部４０ａのスペースを極めて小さくでき、より小型の表示装置を得ることができる効果を有する。
当然、前記実施例１，２の効果も得ることができる。
この実施例４は、前記実施例３よりさらに小型化が得られ、携帯機器に適する。
【００５２】
次ぎに、本発明の他の実施例である実施例４の表示装置を説明する。
（実施例５）
図１１、１２，１３は、本発明の実施例５の表示装置を示す図である。
図１１は実施例５に於ける表示装置の外観の正面図である。図１２、１３は図１１を分解し上下の位置の関係を変えずに上下基板を取り出した図である。図１３は、図１１の上基板を上方から透視した図である。図１２は図１１の下基板を上方から見た図である。
本発明の実施例５の外観の正面図である図１１は、実施例１の図２に対して下基板４０の延出部４０ａと対向する側の下基板４０の端部より上基板２０が延出して延出部２０ａを備えている点が主に異なる。
図１１で示される如く、表示装置１０は、図１１を見て左側の部位においては、上基板２０の端部より下基板４０が延出して下基板４０の延出部４０ａが形成される。他方図１１を見て右側で、下基板４０の端部より上基板２０が延出して上基板２０の延出部２０ａが形成される。上基板２０と下基板４０が対向し間隙を生じる部位の周囲には、枠形状の封止部材６０が配設されで上基板２０と下基板４０接着される。下基板４０の延出部４０ａには外部からの液晶を制御する信号あるいは光源を制御する信号を入力するための入力端子が設けられている。この延出部４０ａの入力端子にはＦＰＣ９２が接続される。この接続部材としてはフレキシブルな基板以外にクリップ形状なすコネクタが用いられることもある。
一方、上基板２０の延出部２０ａには図１１に示す如く光源の例であるＬＥＤが、導電接着材材あるいは異方性導電接着材あるいは半田により下基板４０上の光源用配線電極の端子に電気的接続され、且つ上基板４０に接着あるいは支持固定されているている。ＬＥＤの端子を半田付けするだけでもＬＥＤ８０を基板に固定する固定力は得られる。
図１１で、上基板２０の上には、図示を省略しているが図３に示すように断面三角形状
のプリズム３６とプリズム３６の上に配設される位相差板、この位相差板の上に偏光板７０が配設される。位相差板は、配設しないことがある。
同様に図１１の下基板４０の電気光学変換部材側の面である内側または下基板４０の外側である下基板４０の下方には反射部材が少なくとも表示領域６８の領域に設けられる。
封止部材内の部材構成及びその配置関係は、実施例１と実質的に同じなので、図３，４を参照願い、本実施例５での説明を省略する。
このような構成を有する実施例５には、さらに下基板４０の延出部４０ａの封止部材６０側と下基板４０の端部の間には集積回路であるＩＣ９０が下基板の上に実装される。
このＩＣ９０はＬＥＤ駆動信号と画素電極駆動信号を出力するが、ＬＥＤ駆動信号は別回路からＦＰＣを介して下基板４０の延出部４０ａ上の端子を介してＬＥＤ８０に供給しても良い。ＩＣ９０の入力端子側にはＦＰＣ９２からの信号が入力される。
このような構成を採る第４の実施例は、延出部４０ａにＬＥＤ８０が実装されていないので、延出部４０ａのスペースを極めて小さくでき、より小型の表示装置を得ることができる効果を有する。
当然、前記実施例１，２の効果も得ることができる。
【００５３】
さらに、実施例５の表示装置の上基板２０，下基板４０の配線状態を、上基板を上方から透視した図である図１３、下基板を上方から見た図である図１２を用いて説明する。
図１２において、下基板４０の延出部４０ａを除いた部分に配設された枠状の封止部材６０内に液晶６５が封止される。延出部４０ａ上でありＩＣ９０と封止部材６０の間には、画素電極と接続する多数の画素用配線が密集している。
この領域にはＩＣ９０の出力配線の画素用配線２６と光源用配線５１が配設され、その配線本数は実施例１と同じである。
【００５４】
このような配線において、延出部４０ａ上では、封止部材６０と反対側の下基板４０の端部周辺にはＩＣ用入力端子５７が配設される。この入力端子には、ＦＰＣや接続クリップピンが半田や導電接着材や異方性導電接着材で接続される。
このＩＣ用入力端子５７は、延出部４０ａの上を配線される配線電極でＩＣ９０と接続される。
ＩＣ９０は、画素用端子５０から画素を駆動する信号を出力する。
また光源用端子５４からＬＥＤ８０を駆動する信号を出力する。
光源用端子５４のうち図１２を見て上側の光源用端子５４は、下基板４０の上部周辺に配設される光源用配線５１を介して上基板２０の延出部２０ａ上に配設されたＬＥＤ８０と接続される。このとき光源用配線５１は封止部材６０と下基板４０の間を配線され場合と、表示領域６８と画素領域の間の領域を配線することができる。封止部材６０の幅は約１ｍｍあるので、幅広い電極を配線することができる。
下基板４０上の光源用配線５１は上基板２０の延出部２０ａの根本に位置する封止部材６０内に至るように配線され封止部材６０内に位置する光源用配線５１の対向配線接続部３０と上基板２０上に配設された光源用配線５１の対向配線接続部３０とが封止部材６０内の導電粒子で上下方向（表示装置の厚み方向）に導通をする構成をなすことで、ＩＣ９０からの出力信号でＬＥＤ８０が駆動される。
これらの光源用配線５１は、配線抵抗を下げるために、画素用配線２６，４９あるいは画素電極４８が配設されていない下基板４０のスペース（空間領域）に、幅広の電極を配設することができる。このような幅広配線とすることにより、液晶に比べ消費電力が大きいＬＥＤ８０であるために生じるところの、配線抵抗による電圧降下を、幅広配線で下げることができるので、光源用配線での電力損失を少なくしＬＥＤの駆動効率が良くなる効果を有する。
さらに、本発明では、画素用端子５０、照明駆動用端子５４、画素用配線４９、光源用配線等が配設されて、配線が密集している延出４０ａには、光源例えばＬＥＤを配設すことなく照明を得ているため、配線が密集して隣り合う配線のショートや電飾が防げる効果
が得られる。
【００５５】
一方、ＩＣ９０の出力端子と接続される画素用端子５０は、一部が画素用配線２６と接続され封止部材６０に配線され、封止部材６０の部位で上基板２０上に設けられた画素用配線２６と接続される。この接続構成は、下基板４０上の画素用配線２６の対向配線部３０と上基板２０上の画素用配線２６の対向配線部３０とが封止部材６０内の導電粒子６１により、上下対向する電極のみが電気的に導通する。
上基板２０上の画素用配線２６は画素電極２２と接続されている。この画素用電極６８は図１３を見て上下方向に配線されている。
図１３の画素用電極２２と対向する図１２に示す下基板４０上の画素用電極４８は、前記画素用電極２２と直交する方向の左右方向に配線されている。この画素用電極４８と画素用電極２２との交差する部位と液晶とで画素を形成する。この画素の集合の端から端が画素部６７であり、この画素部を囲む封止部材６０までの領域が表示部６８であり、表示部までは液晶が存在する。表示部６８と画素部６７の間は、この液晶を制御する機能有していない。即ち、画素電極が存在しない。このためこの間の液晶層の厚みは、画素部６７の液晶層の厚みと異なる。この異なりにより液晶透過光が異なり額縁のような輝度ムラが生じる。この問題は透過光、反射光に対して共に言えることである。この問題を防ぐために、前記の電極がない部位にダミー電極と称する島状の間隙調整用電極を設けている。しかし、本発明は、光源用配線を配設するために前記ダミー電極を設けなくても前記輝度ムラを防げ、ダミー電極を形成するための設計上、製造上の費用の削減が得られる。
実施例５では、光源用配線５１が配設されていない部位である、図１２，図１３それぞれの左右の辺の封止部材６０の近傍及び封止部材６０の下には、島形状を為すアイランドダミーであるダミー電極３４ａ、ｂが、上基板２０の左右の辺に配設されている。
上基板２０では、図１３を見てぞれのシール材の辺およびその近傍にアイランドダミー電極が配設されており、左側にはダミー電極３４ａが、右側にはダミー電極３４ｂが配設されている。
図１３を見て上基板２０の上下方向にもダミー電極を配設しても良いが、本実施例では、上下のそれぞれの部位には、画素用配線２４が配設されるのでダミー電極を配設するようにしたので必要がない。この点の説明に対応する図示を、図１３では省略している。
一方、下基板４０には、右の辺のみにダミー電極３４ｃが配設されている。
このように上下基板に形成されたダミー電極は、それぞれ対向する電極が設けられている。
上基板２０のダミー電極３４ｂと下基板４０のダミー電極３４ｃは、対向している。また、上基板のダミー電極３４ａは下基板４０の画素用配線４９が対向している。一方、下基板４０上の光源用配線５１には、上基板２０上の画素用配線２４が対向している。上基板の画素用電極が配設されていない部位で、且つ下基板４０上に光源用配線５１が対向する部位には、アイランド形状のダミー電極が配設されるが、図１３への図示を省略している。
このようにして画素部６７の間隙と表示部の間隙を同じにしているので、画素部の周囲の間隙が異なり額縁と称される輝度ムラ，あるいは表示ムラを防げ表示品質が向上した表示装置が得られる効果を有する。
【００５６】
本発明は特に、ダミー電極を配設する部位を有効に用いることを考え出し、光源用配線を配設したので、アイランド形状の細かなダミー電極パターンを設計することなく、そのダミーパターンあるいはダミー電極のパターンの位置も対向電極にあわせる細かな位置合わせをする必要がなく生産コストの削減にも効果がある。
さらに、配線が密集しているＩＣ９０あるいはＦＰＣあるいは画素用端子が配設される基板（例えば，下基板）端部と対向する基板（例えば、下基板または上基板）端部に光源を配置するように発明をなした本発明は，導光板としての機能も有する基板（例えば，光源を実装していない基板）の端部の光入射面に対向して自由な位置に配置でき、最適な導
光板と光源の配置関係を達成でき，効果的な照明が得られる効果を有する。
【００５７】
さらに、図１２で示す下基板４０上の画素用電極４８のＩＣ側の配線について示すと、画素用電極４８は画素用配線４９と接続し、画素用配線４９は画素用端子５０に接続される。この画素用端子５０はＩＣ９０上の出力用端子電極に接続される。
【００５８】
以上の図１２の説明では、図１２の下基板４０の上半分に関して説明したが、図１２の下基板４０の下半分に関しても、前記下基板４０の上半分に関して説明した内容と同じなので説明を省略する。
【００５９】
さらに、図１３は、上基板２０上に配設される電極とその電極上の下基板４０上の電極と電気的接続をなす対向配線接続部と封止部材６０の関係を示している。
図１３において、上基板２０の基板左端であり封止部材６０が配設された位置の画素用配線２４には、下基板４０上に設けられた画素配線２６の対向配線接続部３０に対向して対向配線接続部３０が設けられている。この両対向配線接続部の間に図４で示した導電粒子６１が挟まれることで両対向配線接続部が接続され、下基板４０の画素用配線２６と上基板２０の画素用配線２４が導通する。
このように構成された上基板２０と下基板４０が封止部材を挟み重ね合わされて、封止部材により接着される。このように上下基板が互いに接着されると、画素電極４８と画素電極２２が交差して、交差し重なった部位で表示の画素が形成される。
【００６０】
このような構成をなす実施例５は、図１１に示される如く、下基板の側方に光源の例であるＬＥＤ８０を配置する。また、ＬＥＤ８０の光出射面を下基板４０の光入射面とする側部に対向して配置しする。このように配置するのは、下基板４０に導光部材としての機能を持たせているためである。
さらに下基板４０の下方には反射層４２を配設する。この反射層４２は前記下基板内を導光する光を、液晶６５あるいは上基板２０に向けて光を出射させる機能あるいは構成を有している。この上方すなわち上基板２０へ向けて効果的に反射させるためには、反射層４２あるいは下基板４０の反射層側の面に凹凸を設けるのが良い。
さらには反射層４２のＬＥＤ８０に近い側における上方への反射機能を落とし、反射層４２のＬＥＤ８０に遠い側における上方への反射機能をあげるようにすることで、下基板４０から上基板２０に向けて出射される光を、面方向すなわち表示領域前面で輝度ムラのない照明を得ることができる効果を得ることができる。
実施例１から４が表示パネルあるいは表示セルに対して看視側に照明を配設するフロントライトを有する表示装置である。
実施例５は、まったく新たなる発想による表示装置であり、表示パネル（光源やＦＰＣを除いた構成）あるいは表示セル（光源やＦＰＣを除いた構成）に対して看視側と反対側に照明を配設するバックライトを有する表示装置である。このような実施例５では、バックライトでありながら小型，薄型の効果を得ることができる。さらにバックライトのためフロントライトより高い輝度を得ることができる効果も有する。
【００６１】
上記実施例１から５の表示装置の基板周囲の側面には、特に光源からの光を導光する導光部材の機能を持たせた基板側面周囲には、表示装置の側方に光が抜けるのを防止する反射シートあるいは反射塗料あるいは反射機能を有する枠部材や筐体を配設するのが良い。このようにすることで、基板側面からの光りぬけあるいは光漏れを防ぐことができ光利用効率が向上し、より明るい表示が得られる効果を得ることができる。
また、封止部材も、封止部材の側面からの光りぬけあるいは光漏れを防ぐために、黒色あるいは暗い色の顔料や染料を有する封止部材を用いると光抜けが防止でき光利用効率が向上し、より明るい表示が得られる効果を得ることができる。
【００６２】
上記実施例１から５の電気光学変換部材としては、液晶を用いたが液晶以外の電気光学変換部材でも良い。
さらに、上記実施例１から５に用いた液晶としては、ツイストネマチック液晶材であるＴＮ液晶あるいはＳＴＮ液晶を用いたるが、このときには光源とこの光源からの光を導光する導光部材の機能を持たせた基板との対向部位には、第２の偏光部材を設け、本発明の実施例の図である図３あるいは図４などに記載した上基板２０の上方に配設される偏光板を第１の偏光板とする構成をなすのが良い。
さらにこの第２の偏光部材と光源との間に光拡散部材を設けても良い。
他方、上記実施例１から５に用いた液晶として、光散乱液晶を用いても良く、このときには、偏光部材を用いなくて良いので、より薄型，小型が得られさらに輝度が高い表示装置が得られる効果を得ることができる。
本発明は、上記の液晶以外の液晶を用いても本願発明を作用効果を得ることができる。
【００６３】
上記実施例の説明では、ＬＥＤ８０を２個使用した場合を示しているが、１個でも良くさらに３個以上でも良く、ＬＥＤの個数を多くすれば、輝度は高くなり、輝度ムラも少なくなる傾向だが、光源の消費電力が増加しさらに光源と接続する配線電極の本数が増え下基板４０を大きくしなければならず、これらを考慮して最適なＬＥＤの使用個数を決めるのがよい。
また、上記実施例の説明では、ストライプ電極が交差し、交差点に電気光学変換部材が存在することで画素を形成し表示をする実施例を説明したが、本発明は、個々に独立した画素電極を有しその個々の画素電極にＴＦＴやＭＩＭや非線形素子を配設した構成をなす基板を用いた表示パネルにも用いることができ、本発明の効果を得ることができる。このとき、画素電極に反射機能を持たせても良い。
また、上記実施例の説明では、下基板４０上の光源用配線５１と上基板２０の光源用配線５１との導通に関しては、封止部材６０内の導電粒子で上下方向（表示装置の厚み方向）を導通した実施例を示したが、この導電粒子（対向電極間の間隙寸法とほぼ同じ径かそれ以上の径を有する導電粒子）の他に導電接着材（対向電極間の間隙寸法より小さな導電微粒子を多数混在いさせた接着材）やヒートシールを用いることができる。導電接着剤やヒートシールを用いる時には、封止機能の低下を避けるために。、封止部材６０の配設位置を避けることが好ましい。
【００６４】
また、本発明には、不要な光が表示装置から抜けてくるのを防ぐ遮光膜は、必要時応じて適宜の箇所に設けるのがよい。例えば、ブラックマトリックスと称される隣り合う画素間にマトリックス状に遮光膜を配設するのが良い。
また周辺遮光膜と称するところの遮光膜を画素が集まった領域（画素領域）の最外周から枠形状の封止部材の内周辺の間に遮光膜を配設するのも良い。
また、周辺遮光膜と称するところの画素領域の最外周から枠形状の封止部材の外周辺あるいは封止部材の外周を越えて遮光膜を配設するのも良い。例えば、図７、８から分かるように、ＬＥＤ８０を点灯／消灯するための光源用配線５１が延出部４０ａからＬＥＤ８０に向けて封止部材６０と下基板４０の間あるいは画素領域の外側の領域に引き回されており、このＬＥＤ８０の光源用配線５１が液晶を駆動する駆動電極への配線と重なる場合が生じて液晶が点灯することになり不要な点灯が生じ表示品質を落とす場合においても、前記遮光膜で遮光できるので、不要な点灯が見えて表示品質を落とすことが無いとの効果が得られる。
この遮光膜としては従来の遮光膜材料を用いることができ、その材料を大別すると、金属遮光膜と樹脂遮光膜があり、それぞれ一長一短がある。金属遮光膜は、厚さが薄くても遮光特性が良く、樹脂遮光膜は厚さを厚くしないと十分な遮光特性が得られないとの特徴があり、本発明にはいずれの遮光膜を用いることができる。金属遮光膜は、先に説明した反射膜と同様に導電性のため、他の部材、他の層との不要な短絡を防ぐためには、遮光膜と他の部材の間に絶縁性の層あるいは部材を設けるのがよい。
この不要点灯防止の他の構成としては、上基板２０の液晶側の面上であり、画素領域の外側の領域に遮光膜を設けても良い。また、上基板２０の液晶側と反対側の面上であり、画素領域の外側の領域に遮光膜を設けても良い。また、上基板１０の液晶側と反対側の面上に表示の看視側に設けることがあるブラスチック材料あるいは金属材料よりなる枠部材を用いて、画素領域の外側の領域を遮光しても良い。
【図面の簡単な説明】
【００６５】
【図１】図１は、本発明の実施例１における表示装置の外観の斜視図である。
【図２】図２は図１の表示装置の外観の正面図である。
【図３】図３は図１のＡ−Ａ断面方向に於けるＢ部の部分断面図である。
【図４】図４は図１のＡ−Ａ断面に於けるＢ部近傍の部分断面図である。
【図５】図５は図１を分解し上下の位置の関係を変えずに上下基板を取りだした図である。  図５ａは下基板を上方から見た図である。  図５ｂは上基板を上方から透視した図である。
【図６】図６は、本発明の実施例２の外観の正面図である。
【図７】図７は、図６を分解し上下基板を上下の位置関係を変えずに取り出した図であり、さらに図７は下基板を上方から見た図である。
【図８】図８は、図６を分解し上下基板を上下の位置関係を変えずに取り出した図であり、さらに図８は上基板を上方から透視した図である。
【図９】図９は、本発明の実施例３の表示装置の外観の正面図である。
【図１０】図１０は、本発明の実施例４の表示装置の外観の正面図である。
【図１１】図１１は実施例５に於ける表示装置の外観の正面図である。
【図１２】図１２は、図１１を分解し上下の位置の関係を変えずに下基板を取り出した下基板を上からみた図であり、図１１の下基板を上方から見た図である。
【図１３】図１３は、図１１を分解し上下の位置の関係を変えずに上基板を取り出した図であり、図１１の上基板を上方から透視した図である。
【図１４】図１４は、液晶表示装置の平面図を透視してみた状態における基板上の電極の配線図あるいは配線パターンを主に示した透視図であるている。
【図１５】図１５は、図１４の液晶表示装置の断面の一部を示した断面図である。
【図１６】図１６は、表示パネルの上にＬＥＤを配設した、図１４とは異なる構成をなす他の表示パネルの断面図である。
【図１７】図１７は図１６の表示パネルの外観平面図であり内部構造の一部を透視している平面図である。
【符号の説明】
【００６６】
１０  表示装置
２０  上基板
２０ａ  延出部（上基板側の）
２２  画素電極（走査側の）
２４  画素用配線（走査側の。上基板上の）
２６  画素用配線（走査側の。下基板上の）
２８  上配向層
３０  対向配線接続部
３４ａ，ｂ  ダミー電極
３６  プリズム
４０  下基板
４０ａ，ｂ  延出部（下基板側の）
４２    反射層
４４    カラーフィルタ
４４Ｒ  赤色カラーフィルタ
４４Ｇ    緑色カラーフィルタ
４４Ｂ  青色カラーフィルタ
４６  平坦化膜または保護膜または絶縁膜
４８  画素電極（信号側の）
４９  画素用配線（信号側の）
５０  画素用端子（信号側と走査側の）
５１  光源用配線
５４  光源用端子
５７  ＩＣ用入力端子
５９  下配向層
６０  封止部材
６１  導電粒子
６２  絶縁性接着材
６５  液晶
６７  画素部
６８  表示部
７０  偏光部材
８０  光源（ＬＥＤ）
９０  ＩＣ（集積回路）
９２  ＦＰＣ（フレキシブルプリンッテド回路基板）
９３  回路基板
【図１】
2006276600.tif 000003
【図２】
2006276600.tif 000004
【図３】
2006276600.tif 000005
【図４】
2006276600.tif 000006
【図５】
2006276600.tif 000007
【図６】
2006276600.tif 000008
【図７】
2006276600.tif 000009
【図８】
2006276600.tif 000010
【図９】
2006276600.tif 000011
【図１０】
2006276600.tif 000012
【図１１】
2006276600.tif 000013
【図１２】
2006276600.tif 000014
【図１３】
2006276600.tif 000015
【図１４】
2006276600.tif 000016
【図１５】
2006276600.tif 000017
【図１６】
2006276600.tif 000018
【図１７】
2006276600.tif 000019